(57)【要約】【課題】隅棟部を施工するに際し、施工後の見栄えを良好にでき、また強い吹き上げ風等に対しても簡単にめくれ上がることがないようにする。【解決手段】隅棟部１０１の屋根流れ方向で分割された下部本体３と上部本体４とを有しており、下部本体３に対しその表側へ上部本体４が被せられた状態でこれら上部本体４と下部本体３とが相対的に上下摺動自在に接合可能になっており、下部本体３には上部本体４の裏側に隠れる部分に隅棟部下地への釘打ち用固定片１０が設けられている。【選択図】　　　図１
2004052332.tif 000002
【特許請求の範囲】
【請求項１】
隅棟部（１０１）の屋根流れ方向で分割された下部本体（３）と上部本体（４）とを有しており、下部本体（３）に対しその表側へ上部本体（４）が被せられた状態でこれら上部本体（４）と下部本体（３）とが相対的に上下摺動自在に接合可能になっており、下部本体（３）には上部本体（４）の裏側に隠れる部分に隅棟部下地への釘打ち用固定片（１０）が設けられていることを特徴とする隅棟役物。
【請求項２】
前記下部本体（３）にはその下端部で裏側へ折り返された差し掛け部（７）が設けられ、上部本体（４）にはその上端部で表側へ折り返されて下部本体（３）の差し掛け部（７）と係合可能となる受け掛け部（１５）が設けられていることを特徴とする請求項１記載の隅棟役物。
【請求項３】
請求項１記載の隅棟役物（１）においてその上部本体（４）と下部本体（３）とが所定長さに調節された状態で下部本体（３）が固定片（１０）を介して隅棟部（１０１）へ固定され、下位側配置となる隅棟役物（１）における上部本体（４）の受け掛け部（１５）に対して上位側配置となる隅棟役物（１）における下部本体（３）の差し掛け部（７）が係合されていることを特徴とする隅棟役物を用いた隅棟構造。
【発明の詳細な説明】
【０００１】
【発明の属する技術分野】
本発明は、隅棟役物及びこれを用いた隅棟構造に関するものである。
【０００２】
【従来の技術】
図４に示すように、屋根１００の隅棟部１０１を施工する場合に用いる隅棟役物として、図示は省略するが、隅棟部１０１の屋根流れ方向で上下の役物本体に分割され、これらを互いに上下摺動自在な接合状態として、施工時における上下かみ合い長さを調節できるようにしたものが知られている（特開平７−１０９７９６号公報参照）。
この従来公知の上下分割式隅棟役物では、下部側の役物本体に対し、その甲面（表面）中央部に釘孔が設けられており、この釘孔へ釘を打ち込むことで隅棟部１０１への取り付けを行っていた。
【０００３】
【発明が解決しようとする課題】
上記した従来公知の上下分割式隅棟役物では、下部側の役物本体に打ち込んだ釘の釘頭部がそのまま露出状態となり、隅棟部全体（屋根全体）としての見栄えを低下させていた。
また、この従来公知の上下分割式隅棟役物では、この隅棟役物同士を隅棟部１０１の屋根流れ方向で葺き重ねていく中で、下位側配置となるものと上位側配置となるものとを、単にそれらの一部ずつを重ねるだけの構造になっていたため、強い吹き上げ風等によってめくれ上がってしまうおそれもあった。
【０００４】
本発明は、上記事情に鑑みてなされたものであって、施工後の見栄えを良好にでき、また強い吹き上げ風等に対しても簡単にめくれ上がってしまうといったこともないようにした隅棟役物及びこれを用いた隅棟構造を提供することを目的とする。
【０００５】
【課題を解決するための手段】
前記目的を達成するために、本発明は次の手段を講じた。
すなわち、本発明に係る隅棟役物１は、隅棟部１０１の屋根流れ方向で分割された下部本体３と上部本体４とを有している。
そして、下部本体３に対しその表側へ上部本体４が被せられた状態では、これら上部本体４と下部本体３とが相対的に上下摺動自在に接合可能になっている。また下部本体３には、上部本体４の裏側に隠れる部分に固定片１０が設けられている。この固定片１０は、隅棟部下地へ向けて釘やビス等（以下、単に「釘１１」と言う）を打ち込むためのものである。
【０００６】
このような構成であると、下部本体３の固定片１０を釘１１で隅棟部１０１へ打ち付けても、この釘１１の釘頭部は、下部本体３の表側に被せられる上部本体４によって隠されることになる。そのため、この釘頭部は見えず、隅棟部全体（屋根全体）としての見栄えを低下させるおそれはない。
なお、下部本体３に対し、その下端部で裏側へ折り返された差し掛け部７が設けられたものとし、これに対して上部本体４には、その上端部で表側へ折り返されて下部本体３の差し掛け部７と係合可能となる受け掛け部１５が設けられたものとするのが好適である。
【０００７】
このような構成を付加させると、上位側配置となる隅棟役物１（下部本体３の差し掛け部７）を下位側配置となる隅棟役物１（上部本体４の受け掛け部１５）に対して係合させることができることになる。
従って、強い吹き上げ風等が発生したとしても、これによってこの隅棟役物１が簡単にめくれ上がってしまうといったことがない。
一方、本発明に係る隅棟構造は、本発明の隅棟役物１においてその上部本体４と下部本体３とが所定長さに調節された状態で下部本体３が固定片１０を介して隅棟部１０１へ固定されたものである。
【０００８】
また、下位側配置となる隅棟役物１における上部本体４の受け掛け部１５に対して上位側配置となる隅棟役物１における下部本体３の差し掛け部７が係合されたものとなっている。
【０００９】
【発明の実施の形態】
以下、本発明の実施の形態を、図面に基づき説明する。
図１及び図２は、本発明に係る隅棟役物１の一実施形態を示しており、図３はこの隅棟役物１を用いて施工した隅棟部１０１（図４参照）を示している。
この隅棟役物１は、隅棟部１０１の屋根流れ方向で分割することによって形成された下部本体３と上部本体４とを有している。
これら下部本体３と上部本体４とは、下部本体３の上端部表側に上部本体４の下端部を被せるようにして接合し、使用する。
【００１０】
これら下部本体３及び上部本体４は、いずれもアルミやステンレス等の耐蝕性金属板や耐食処理（表面処理や塗装、コーティング等）を施した薄鋼板、或いは硬質樹脂板等を素材として、隅棟部１０１を覆い隠すことのできる帯板状に形成されている。
下部本体３には、屋根面側で葺き上げられる屋根瓦の下端部（図４中の符号１０２参照）と同レベルで横線の繋ぎを表現するための二組の水返し片５が、恰も舳先状を呈するように互いに所定角度で設けられている。
【００１１】
またこれら水返し片５には、隅棟部１０１の屋根流れ方向下方へ延びるようにした水切り片６が設けられていると共に、この水切り片６の先端側からその裏側へ折り返された差し掛け部７が設けられている。
なお、図例においてこの差し掛け部７は、理解の便宜上、Ｕターン状の折り返し形状に描いてあるが、実際には鋭角な折曲形状とするのがよい。
またこの下部本体３には、その上端部から隅棟部１０１の屋根流れ方向上方へ向けて釘打ち用固定片１０が延設されている。
【００１２】
この固定片１０は、隅棟部下地（図示略）への固定に用いられる釘１１を打ち込むためのものであって、必要に応じて、釘１１用の釘孔１２を設けておいてもよい（なお、この釘孔１２は現場施工時に形成させるものとして当初は未形成としておくことも可能である）。
この固定片１０は、下部本体３に対して上部本体４が被せられる際にはこの上部本体４によってその裏側へと隠されることを条件として、その大きさ及び形状が決められている。従って、図示したような細帯状としてもよいし、それ以外にも、下部本体３と同じ幅寸法で形成させるなど、適宜変更が可能である。
【００１３】
上部本体４は、上記したように下部本体３に対してその表側に被せられた状態で使用されるものであり、そのためこの下部本体３と同等以上の幅で形成され、その幅方向両側縁部には裏側へと折り返された下部本体４用の抱き込み片１４が形成されている。
すなわち、この抱き込み片１４の内側へ下部本体４が抱き込まれるようになり、その長手方向（隅棟部１０１の屋根流れ方向下方）に沿うようにしてこれら上部本体４と下部本体３とが相対的に上下摺動自在になるものである。
【００１４】
この上部本体４には、その上端部から表側へ折り返された受け掛け部１５が設けられている。
なお、図例において、この受け掛け部１５についても、理解の便宜上、Ｕターン状の折り返し形状に描いてあるが、実際には鋭角な折曲形状とするのがよい。この受け掛け部１５は、下部本体３に設けられた差し掛け部７と対を成すもので、図３に示すように隅棟部１０１を施工するに際しては、上位側配置となる隅棟役物１の下部本体３の差し掛け部７を、下位側配置となる隅棟役物１の上部本体７の受け掛け部１５に係合させるようにする。
【００１５】
このような本発明の隅棟役物１を用いて施工した本発明に係る隅棟構造では、下部本体３の固定片１０を釘１１で隅棟部下地へ打ち付けても、この釘１１の釘頭部は、下部本体３の表側に被せられる上部本体によって隠されることになる。そのため、この釘頭部は見えず、隅棟部１０１全体（屋根全体）としての見栄えを低下させるおそれはない。
また、上位側配置となる隅棟役物１における下部本体３の差し掛け部７と下位側配置となる隅棟役物１における上部本体４の受け掛け部１５とが互いに係合しているため、強い吹き上げ風等が発生した場合でも、これら隅棟役物１が簡単にめくれ上がってしまうといったことはない。
【００１６】
ところで、本発明は、上記実施形態に限定されるものではなく、実施の形態に応じて適宜変更可能である。
釘１１の代わりにビスを用いることも可能である。
【００１７】
【発明の効果】
以上の説明から明らかなように、本発明に係る隅棟役物及びこれを用いた隅棟構造では、施工後の見栄えを良好にでき、また強い吹き上げ風等に対しても簡単にめくれ上がってしまうといったこともない。
【図面の簡単な説明】
【図１】本発明に係る隅棟役物の一実施形態を示した斜視図である。
【図２】図１に対応する分解斜視図である。
【図３】図１に示した隅棟役物を用いて施工した隅棟構造を示した側断面図である。
【図４】隅棟部を示した斜視図である。
【符号の説明】
１　　　隅棟役物
３　　　下部本体
４　　　上部本体
７　　　差し掛け部
１０　　　固定片
１５　　　受け掛け部
１０１　　　隅棟部
【図１】
2004052332.tif 000003
【図２】
2004052332.tif 000004
【図３】
2004052332.tif 000005
【図４】
2004052332.tif 000006